(57)【要約】【課題】ゴルフクラブセットに適したシャフトセットの提供。【解決手段】シャフトセット２Ｓは、第１のシャフトＳＦ１と、第１のシャフトＳＦ１よりも短い第２のシャフトＳＦ２と、第２のシャフトＳＦ２よりも短い第３のシャフトＳＦ３とを含む。少なくとも第２のシャフトＳＦ２及び第３のシャフトＳＦ３が、バット部分バイアス層ｓ３，ｓ４を有している。シャフトが短くなるにつれてバット部分バイアス層ｓ３，ｓ４の重量が増加している。少なくとも第１のシャフトＳＦ１及び第２のシャフトＳＦ２がチップ部分バイアス層ｓ１０，ｓ１１を有している。シャフトが短くなるにつれてチップ部分バイアス層ｓ１０，ｓ１１の重量が減少している。【選択図】図３
2019017405.tif 000002
【特許請求の範囲】
【請求項１】
ゴルフクラブセット用のシャフトセットであって、
第１のシャフトと、前記第１のシャフトよりも短い第２のシャフトと、前記第２のシャフトよりも短い第３のシャフトとを含んでおり、
前記第１のシャフト、前記第２のシャフト及び前記第３のシャフトが、全長バイアス層を有しており、
少なくとも前記第２のシャフト及び前記第３のシャフトがバット部分バイアス層を有しており、シャフトが短くなるにつれて前記バット部分バイアス層の重量が増加しており、
少なくとも前記第１のシャフト及び前記第２のシャフトがチップ部分バイアス層を有しており、シャフトが短くなるにつれて前記チップ部分バイアス層の重量が減少しているシャフトセット。
【請求項２】
少なくとも前記第２のシャフト及び前記第３のシャフトがバット部分ストレート層を有しており、シャフトが短くなるにつれて前記バット部分ストレート層の重量が増加している請求項１に記載のシャフトセット。
【請求項３】
前記バット部分ストレート層がガラス繊維強化層を含み、
シャフトが短くなるにつれて前記ガラス繊維層の重量が増加している請求項２に記載のシャフトセット。
【請求項４】
前記全長バイアス層の重量が略一定である請求項１から３のいずれか１項に記載のシャフトセット。
【請求項５】
シャフトが短くなるにつれて、前記全長バイアス層のチップ幅が増加している請求項１から４のいずれか１項に記載のシャフトセット。
【請求項６】
前記第１のシャフト、前記第２のシャフト及び前記第３のシャフトにおいて、シャフト重量が６０ｇ未満であり且つシャフトトルクが４°未満である請求項１から５のいずれか１項に記載のシャフトセット。
【発明の詳細な説明】
【技術分野】
【０００１】
本発明は、ゴルフクラブセット用のシャフトセットに関する。
【背景技術】
【０００２】
ゴルフクラブセットには、通常、長さが異なる一群のシャフトが用いられる。特開２０１６−１５９１５１号は、所定の関係に従って、シャフトの重量がシャフト長さの増加に応じて減少するゴルフクラブセットを開示する。
【先行技術文献】
【特許文献】
【０００３】
【特許文献１】特開２０１６−１５９１５１号公報
【発明の概要】
【発明が解決しようとする課題】
【０００４】
本発明者が鋭意検討した結果、新たな構造により改善されたシャフトセットが得られることが判明した。
【０００５】
本発明の目的は、ゴルフクラブセットに適したシャフトセットの提供にある。
【課題を解決するための手段】
【０００６】
ある側面において、このシャフトセットは、ゴルフクラブセット用のシャフトセットである。このシャフトセットは、第１のシャフトと、前記第１のシャフトよりも短い第２のシャフトと、前記第２のシャフトよりも短い第３のシャフトとを含んでいてもよい。前記第１のシャフト、前記第２のシャフト及び前記第３のシャフトは、全長バイアス層を有していてもよい。少なくとも前記第２のシャフト及び前記第３のシャフトがバット部分バイアス層を有していてもよい。シャフトが短くなるにつれて前記バット部分バイアス層の重量が増加していてもよい。少なくとも前記第１のシャフト及び前記第２のシャフトがチップ部分バイアス層を有していてもよい。シャフトが短くなるにつれて前記チップ部分バイアス層の重量が減少していてもよい。
【０００７】
他の側面において、少なくとも前記第２のシャフト及び前記第３のシャフトがバット部分ストレート層を有していてもよい。シャフトが短くなるにつれて前記バット部分ストレート層の重量が増加していてもよい。
【０００８】
なお、バット部分ストレート層は、無くてもよい。バット部分ストレート層は、炭素繊維強化層であってもよい。バット部分ストレート層は、ガラス繊維強化層であってもよい。シャフトが短くなるにつれてバット部分ストレート層の重量が増加していてもよい。
【０００９】
他の側面において、前記全長バイアス層の重量が略一定であってもよい。
【００１０】
他の側面において、シャフトが短くなるにつれて、前記全長バイアス層のチップ幅が増加していてもよい。
【００１１】
前記第１のシャフト、前記第２のシャフト及び前記第３のシャフトにおいて、シャフト重量が６０ｇ未満であってもよい。前記第１のシャフト、前記第２のシャフト及び前記第３のシャフトにおいて、シャフトトルクが４°未満であってもよい。
【発明の効果】
【００１２】
ゴルフクラブセットに適したシャフトセットが得られうる。
【図面の簡単な説明】
【００１３】
【図１】図１は、一実施形態のシャフトセットが用いられたゴルフクラブセットを示す。
【図２】図２は、図１のセットに含まれているクラブを示す。
【図３】図３は、シャフトの積層構成の一例を示す展開図である。
【図４】図４は、シャフトの積層構成の他の例を示す展開図である。
【図５】図５は、シャフトの積層構成の他の例を示す展開図である。
【図６】図６は、シャフトトルクの測定方法を示す概略図である。
【発明を実施するための形態】
【００１４】
以下、適宜図面が参照されつつ、好ましい実施形態が詳細に説明される。
【００１５】
以下では、シャフトセットの一実施形態として、アイアン型ゴルフクラブセット用のシャフトセットが説明される。このシャフトセットは、ウッド型ゴルフクラブセット用
であってもよいし、ハイブリッド型ゴルフクラブセット用であってもよい。好ましくは、このシャフトセットは、アイアン用ゴルフクラブセット用である。
【００１６】
図１は、一実施形態のシャフトセット２Ｓが用いられたゴルフクラブセット２を示す。図２は、図１のセットに含まれるゴルフクラブ４を打撃面側から見た図である。セット２は、アイアン型ゴルフクラブセットである。アイアン型ゴルフクラブのロフト角は、通常、１５度以上７０度以下である。なお、本願においてロフト角とは、リアルロフト角を意味する。リアルロフト角とは、シャフト軸線に対するロフト角である。
【００１７】
クラブセット２は、ロフト角が互いに相違する３本以上のゴルフクラブ４を含む。セット２は、クラブ長さが互いに相違する３本以上のゴルフクラブ４を含む。セット２は、クラブ長さ及びロフト角が互いに相違する３本以上のゴルフクラブ４を含む。セット２では、クラブ長さが短くなるにつれて、ロフト角が大きい。
【００１８】
図１に示されるクラブセット２では、クラブ本数が６である。セット２のクラブ本数は、３本以上が好ましい。クラブセット２のクラブ本数は、３以上が好ましく、４以上がより好ましく、５以上がより好ましく、６以上がより好ましい。つまり、シャフトセット２Ｓのシャフト本数は、３以上が好ましく、４以上がより好ましく、５以上がより好ましく、６以上がより好ましい。ゴルフルールでは、プレー中に使用可能なクラブ本数が制限されている。この観点から、クラブセット２のクラブ本数は、１１以下が好ましく、１０以下がより好ましく、９以下がより好ましい。つまり、シャフトセット２Ｓのシャフト本数は、１１以下が好ましく、１０以下がより好ましく、９以下がより好ましい。
【００１９】
ゴルフクラブ４のそれぞれは、シャフトｓｆ、ヘッドｈｄ及びグリップｇｐを有する。シャフトｓｆの先端部に、ヘッドｈｄが取り付けられている。ヘッドｈｄは、アイアン型ゴルフクラブヘッドである。シャフトｓｆの後端部に、グリップｇｐが取り付けられている。
【００２０】
各シャフトｓｆは、チップ端Ｔｐと、バット端Ｂｔと、シャフト長さＬｓと、シャフト重心Ｇｓとを有している（図２参照）。
【００２１】
セット２は、クラブｃ１〜ｃ６を含む。クラブｃ１は、シャフトｓｆ１、ヘッドｈｄ１及びグリップｇｐを有する。クラブｃ２は、シャフトｓｆ２、ヘッドｈｄ２及びグリップｇｐを有する。クラブｃ３は、シャフトｓｆ３、ヘッドｈｄ３及びグリップｇｐを有する。クラブｃ４は、シャフトｓｆ４、ヘッドｈｄ４及びグリップｇｐを有する。クラブｃ５は、シャフトｓｆ５、ヘッドｈｄ５及びグリップｇｐを有する。クラブｃ６は、シャフトｓｆ６、ヘッドｈｄ６及びグリップｇｐを有する。ロフト角が大きくなるにつれて、シャフトｓｆの長さが短くなっている。
【００２２】
セット２では、クラブ長さの長い順に、クラブｃ１、クラブｃ２、クラブｃ３、クラブｃ４、クラブｃ５及びクラブｃ６である。ロフト角が大きくなるにつれて、クラブ長さが短くなっている。なお、一部又は全部の番手間において、ロフト角が相違し且つクラブ長さが同一であってもよい。
【００２３】
図示されないが、セット２では、クラブ長さが短くなるにつれて、ライ角が大きくなっている。
【００２４】
セット２において、各クラブの番手は次の通りである。クラブｃ１は５番アイアンであり、クラブｃ２は６番アイアンであり、クラブｃ３は７番アイアンであり、クラブｃ４は８番アイアンであり、クラブｃ５は９番アイアンであり、クラブｃ６はピッチングウエッジ（ＰＷ）である。セット２に含まれるゴルフクラブ４の番手は限定されない。
【００２５】
クラブセット２では、番手が大きくなるにつれて、クラブ長さが短い。番手が大きくなるにつれて、ロフト角が大きい。なお、隣接する番手間のロフト角の差は、通常、２°以上６°以下である。
【００２６】
シャフトセットに係る後述の効果を考慮すると、セット２は、以下の第１のクラブ、第２のクラブ及び第３のクラブを含むのが好ましい。
・［第１のクラブ］：ロフト角が１５°以上２８°以下であるゴルフクラブ。
・［第２のクラブ］：ロフト角が２８°より大きく４２°以下であるゴルフクラブ。
・［第３のクラブ］：ロフト角が４２°より大きいゴルフクラブ。
【００２７】
従って、シャフトセット２Ｓは、第１のクラブ用のシャフトと、第２のクラブ用のシャフトと、第３のクラブ用のシャフトとを含むのが好ましい。
【００２８】
セット２では、５番アイアンが、第１のクラブに分類される。本実施形態では、６番アイアン、７番アイアン、８番アイアン及び９番アイアンが、第２のクラブに分類される。本実施形態では、ピッチングウエッジが、第３のクラブに分類される。
【００２９】
シャフトセット２Ｓは、シャフトｓｆ１、シャフトｓｆ２、シャフトｓｆ３、シャフトｓｆ４、シャフトｓｆ５及びシャフトｓｆ６を有する。シャフトセット２Ｓのシャフト本数は、６である。番手が大きくなるにつれて、シャフト長さＬｓが短くなっている。
【００３０】
本願では、第１のシャフト、第２のシャフト及び第３のシャフトとの用語が用いられる。これら第１、第２及び第３との称呼は、長さの異なるシャフトを区別するための称呼である。第１のシャフトは、好ましくは、前記第１のクラブに用いられうる。図１の実施形態では、シャフトｓｆ１は、第１のシャフトである。第２のシャフトは、好ましくは、前記第２のクラブに用いられうる。図１の実施形態では、シャフトｓｆ２、シャフトｓｆ３及びシャフトｓｆ４が、第２のシャフトである。第３のシャフトは、好ましくは、前記第３のクラブに用いられうる。図１の実施形態では、シャフトｓｆ５及びシャフトｓｆ６が、第３のシャフトである。
【００３１】
シャフトｓｆは、いわゆるカーボンシャフトである。好ましくは、シャフトｓｆは、プリプレグシートを硬化させてなる。このプリプレグシートでは、繊維は実質的に一方向に配向している。このように繊維が実質的に一方向に配向したプリプレグは、ＵＤプリプレグとも称される。「ＵＤ」とは、ユニディレクションの略である。ＵＤプリプレグ以外のプリプレグが用いられても良い。例えば、プリプレグシートに含まれる繊維が編まれていてもよい。
【００３２】
プリプレグシートは、繊維と樹脂とを有している。この樹脂は、マトリクス樹脂とも称される。典型的には、この繊維は炭素繊維である。典型的には、このマトリクス樹脂は、熱硬化性樹脂である。
【００３３】
シャフトｓｆは、いわゆるシートワインディング製法により製造されている。プリプレグにおいて、マトリクス樹脂は、半硬化状態にある。シャフトｓｆは、プリプレグシートが巻回され且つ硬化されてなる。
【００３４】
プリプレグシートのマトリクス樹脂としては、エポキシ樹脂の他、エポキシ樹脂以外の熱硬化性樹脂や熱可塑性樹脂等も用いられ得る。シャフト強度の観点から、マトリクス樹脂は、エポキシ樹脂が好ましい。
【００３５】
以下、シャフトｓｆの構成の詳細が、説明される。
【００３６】
[１．シャフトの積層構成]
図３は、シャフトｓｆを構成するプリプレグシートの展開図（積層構成図）の一例である。
【００３７】
シャフトｓｆは、複数のシートにより構成されている。シャフトｓｆは、第１シートｓ１から第１２シートｓ１２までの、１２枚のシートにより構成されている。この展開図は、シャフトを構成するシートを、シャフトの半径方向内側から順に示している。これらのシートは、展開図において上側に位置しているシートから順に、巻回される。この展開図において、図面の左右方向は、シャフトの軸方向と一致する。この展開図において、図面の右側は、シャフトのチップ端Ｔｐ側である。この展開図において、図面の左側は、シャフトのバット端Ｂｔ側である。
【００３８】
この展開図は、各シートの巻き付け順序のみならず、各シートのシャフト軸方向における配置をも示している。例えば図３において、第９シートｓ９の端は、チップ端Ｔｐに位置している。例えば図３において、第５シートｓ５の端は、バット端Ｂｔに位置している。
【００３９】
本願では、「層」という文言と、「シート」という文言とが用いられる。「層」は、巻回された後における称呼である。これに対して「シート」は、巻回される前における称呼である。「層」は、「シート」が巻回されることによって形成される。即ち、巻回された「シート」が、「層」を形成する。また、本願では、層とシートとで同じ符号が用いられる。例えば、シートｓ１によって形成された層は、層ｓ１である。
【００４０】
シャフトｓｆは、ストレート層と、バイアス層と、フープ層とを有する。本願の展開図において、各シートには、繊維の配向角度θｆが記載されている。この配向角度θｆは、シャフト軸方向に対する角度である。
【００４１】
シャフトｓｆは、６層のバイアス層を有する。これらのバイアス層は、３つのバイアス層セットを構成している。すなわち、図３の実施形態は、第１のバイアス層セットｂ１と、第２のバイアス層セットｂ２と、第３のバイアス層セットｂ３とを有する。
【００４２】
第１のバイアス層セットｂ１は、バイアス層ｓ１とバイアス層ｓ２とにより構成されている。バイアス層ｓ１とバイアス層ｓ２との間で、繊維が互いに逆方向に傾斜している。第２のバイアス層セットｂ２は、バイアス層ｓ３とバイアス層ｓ４とにより構成されている。バイアス層ｓ３とバイアス層ｓ４との間で、繊維が互いに逆方向に傾斜している。第３のバイアス層セットｂ３は、バイアス層ｓ１０とバイアス層ｓ１１とにより構成されている。バイアス層ｓ１０とバイアス層ｓ１１との間で、繊維が互いに逆方向に傾斜している。
【００４３】
「０°」と記載されているシートが、ストレート層を構成している。ストレート層を構成するシートは、ストレートシートとも称される。
【００４４】
ストレート層は、上記角度θｆが実質的に０°とされた層である。巻き付けの際の誤差等に起因して、通常、上記角度θｆは、完全には０°とはならない。
【００４５】
通常、ストレート層では、絶対角度θａが１０°以下である。絶対角度θａとは、上記配向角度θｆの絶対値である。例えば、絶対角度θａが１０°以下とは、角度θｆが−１０°以上＋１０°以下であることを意味する。
【００４６】
図３の実施形態において、ストレートシートは、シートｓ５、シートｓ６、シートｓ８、シートｓ９及びシートｓ１２である。
【００４７】
バイアス層は、シャフトの捻れ剛性及び捻れ強度との相関が高い。好ましくは、バイアスシートは、繊維の配向が互いに逆方向に傾斜した２枚のシートを含む。捻れ剛性の観点から、バイアス層の絶対角度θａは、好ましくは１５°以上であり、より好ましくは２５°以上であり、更に好ましくは４０°以上である。捻れ剛性及び曲げ剛性の観点から、バイアス層の絶対角度θａは、好ましくは６０°以下であり、より好ましくは５０°以下である。
【００４８】
上述の通り、図３には、シート毎に、上記角度θｆが記載されている。第１のバイアス層セットｂ１を構成するバイアスシートｓ１とバイアスシートｓ２とは、繊維の傾斜角度が互いに逆方向である。角度θｆにおけるプラス（＋）及びマイナス（−）は、バイアスシートの繊維が互いに逆方向に傾斜していることを示している。第２のバイアス層セットｂ２及び第３のバイアス層セットｂ３についても、同様である。
【００４９】
図３において記載された２本の斜線が示すように、シートｓ２の繊維の傾斜方向が、シートｓ１の繊維の傾斜方向に等しい。しかし、シートｓ２は、裏返されて、シートｓ１に貼り付けられる。この結果、シートｓ１の角度θｆと、シートｓ２の角度θｆとは、互いに逆方向となる。
【００５０】
シャフトｓｆは、フープ層を有する。シャフトｓｆにおいて、フープ層は、層ｓ７である。シャフトｓｆにおいて、フープ層を構成するシートは、第７シートｓ７である。フープ層を構成するシートは、フープシートとも称される。フープ層は、炭素繊維強化層であるのが好ましい。
【００５１】
好ましくは、フープ層における上記絶対角度θａは、シャフト軸線に対して実質的に９０°とされる。ただし、巻き付けの際の誤差等に起因して、繊維の配向はシャフト軸線方向に対して完全に９０°とはならない場合がある。通常、フープ層では、上記角度θｆが−９０°以上−８０°以下、又は、８０°以上９０°以下である。換言すれば、通常、フープ層では、上記絶対角度θａが８０°以上９０°以下である。
【００５２】
１枚のシートのプライ数（巻回数）は限定されない。例えば、シートのプライ数が１であるとき、このシートは、周方向において１周巻かれる。例えば、シートのプライ数が２であるとき、このシートは、周方向において２周巻かれる。例えば、シートのプライ数が１．５であるとき、このシートは、周方向において１．５周巻かれる。シートのプライ数が１．５であるとき、このシートは、０〜１８０°の周方向位置で１つの層を形成し、１８０°〜３６０°の周方向位置では２つの層を形成する。
【００５３】
図示しないが、使用される前のプリプレグシートは、カバーシートにより挟まれている。通常、このカバーシートは、離型紙及び樹脂フィルムである。使用される前のプリプレグシートは、離型紙と樹脂フィルムとで挟まれている。プリプレグシートの一方の面には離型紙が貼られており、プリプレグシートの他方の面には樹脂フィルムが貼られている。以下において、離型紙が貼り付けられている面が「離型紙側の面」とも称され、樹脂フィルムが貼り付けられている面が「フィルム側の面」とも称される。
【００５４】
本願の展開図は、フィルム側の面が表側とされた図である。即ち、図３において、図面の表側がフィルム側の面であり、図面の裏側が離型紙側の面である。
【００５５】
プリプレグシートを巻回するには、先ず、樹脂フィルムが剥がされる。樹脂フィルムが剥がされることにより、フィルム側の面が露出する。この露出面は、タック性（粘着性）を有する。このタック性は、マトリクス樹脂に起因する。即ち、このマトリクス樹脂が半硬化状態であるため、粘着性が発現する。この露出したフィルム側の面の縁部が、巻き始め縁部とも称される。次に、巻き始め縁部が、巻回対象物に貼り付けられる。マトリクス樹脂の粘着性により、この巻き始め縁部の貼り付けが円滑になされうる。巻回対象物とは、マンドレル、又はマンドレルに他のプリプレグシートが巻き付けられてなる巻回物である。次に、離型紙が剥がされる。次に、巻回対象物が回転されて、プリプレグシートが巻回対象物に巻き付けられる。このように、樹脂フィルムが剥がされて、巻き始め縁部が巻回対象物に貼り付けられた後に、離型紙が剥がされる。この手順により、シートの皺や巻き付け不良が抑制される。なぜなら、離型紙が貼り付けられたシートは、離型紙に支持されているため、皺となりにくいからである。離型紙は、樹脂フィルムと比較して、曲げ剛性が高い。
【００５６】
図３の実施形態では、一部のシートが合体シートとされる。バイアスシートは、合体シートの状態で巻回される。合体シートは、２枚以上のシートが貼り合わされることによって形成される。第１のバイアス層セットｂ１は、シートｓ１とシートｓ２とが合体した合体シートとされる。第２のバイアス層セットｂ２は、シートｓ３とシートｓ４とが合体した合体シートとされる。第３のバイアス層セットｂ３は、シートｓ１０とシートｓ１１とが合体した合体シートとされる。
【００５７】
上述の通り、繊維の配向角度によって、シート及び層が分類される。更に、軸方向長さによって、シート及び層が分類される。
【００５８】
本願において、軸方向の略全体に配置される層が、全長層と称される。本願において、軸方向の略全体に配置されるシートが、全長シートと称される。巻回された全長シートが、全長層を形成する。
【００５９】
チップ端Ｔｐから軸方向に２０ｍｍ隔てた地点がＴｐ１とされ、チップ端Ｔｐから地点Ｔｐ１までの領域が第１領域とされる。また、バット端Ｂｔから軸方向に１００ｍｍ隔てた地点がＢｔ１とされ、バット端Ｂｔから地点Ｂｔ１までの領域が第２領域とされる。上記第１領域及び上記第２領域が、シャフトの性能に与える影響は、限定的である。この観点から、全長シートは、上記第１領域及び上記第２領域に存在していなくてもよい。好ましくは、全長シートは、チップ端Ｔｐからバット端Ｂｔにまで延びている。換言すれば、全長シートは、シャフト軸方向の全体に配置されているのが好ましい。
【００６０】
本願において、シャフト軸方向において部分的に配置される層が、部分層と称される。本願において、シャフト軸方向において部分的に配置されるシートが、部分シートと称される。巻回された部分シートが、部分層を形成する。部分シートの軸方向長さは、全長シートの軸方向長さよりも短い。好ましくは、部分シートの軸方向長さは、シャフト全長の半分以下である。
【００６１】
本願では、ストレート層である全長層が、全長ストレート層と称される。図３の実施形態において、全長ストレート層は、層ｓ６及び層ｓ８である。全長ストレートシートは、シートｓ６及びシートｓ８である。全長ストレート層は、炭素繊維強化層であるのが好ましい。
【００６２】
本願では、バイアス層である全長層が、全長バイアス層と称される。図３の実施形態において、全長バイアス層は、層ｓ１及び層ｓ２である。全長バイアス層は、炭素繊維強化層であるのが好ましい。
【００６３】
本願では、フープ層である全長層が、全長フープ層と称される。図３の実施形態は、全長フープ層は、層ｓ７である。
【００６４】
本願では、ストレート層である部分層が、部分ストレート層と称される。図３の実施形態において、部分ストレート層は、層ｓ５、層ｓ９及び層ｓ１２である。
【００６５】
本願では、バイアス層である部分層が、部分バイアス層と称される。図３の実施形態において、部分バイアス層は、層ｓ３，層ｓ４、層ｓ１０及び層ｓ１１である。
【００６６】
本願では、バット部分層との文言が用いられる。このバット部分層として、バット部分ストレート層が挙げられる。図３の実施形態において、バット部分ストレート層は、層ｓ５である。なお、バット部分ストレート層ｓ５は、無くてもよい。
【００６７】
他のバット部分層として、バット部分バイアス層が挙げられる。図３の実施形態において、バット部分バイアス層は、層ｓ３及び層ｓ４である。前述の通り、これらの層ｓ３及び層ｓ４は、第２のバイアス層セットｂ２を構成している。バット部分バイアス層は、炭素繊維強化層であるのが好ましい。
【００６８】
バット部分層（バット部分シート）とバット端Ｂｔとの間の軸方向距離は、１００ｍｍ以下が好ましく、５０ｍｍ以下がより好ましく、０ｍｍがより好ましい。本実施形態では、全てのバット部分層において、この距離は０ｍｍである。
【００６９】
本願では、チップ部分層との文言が用いられる。このチップ部分層として、チップ部分ストレート層及びチップ部分バイアス層が挙げられる。図３の実施形態において、チップ部分ストレート層は、層ｓ９及び層ｓ１２である。チップ部分バイアス層は、層ｓ１０及び層ｓ１１である。前述の通り、これら層ｓ１０及び層ｓ１１は、第３のバイアス層セットｂ３を構成している。チップ部分バイアス層は、炭素繊維強化層であるのが好ましい。
【００７０】
チップ部分層（チップ部分シート）とチップ端Ｔｐとの間の軸方向距離は、４０ｍｍ以下が好ましく、３０ｍｍ以下がより好ましく、２０ｍｍ以下がより好ましく、０ｍｍがより好ましい。本実施形態では、全てのチップ部分層において、この距離は０ｍｍである。
【００７１】
［２．シャフトの製造工程の概略］
シャフトの製造工程の概略は、以下の通りである。
【００７２】
（１）裁断工程
裁断工程では、プリプレグシートが所望の形状に裁断される。この工程により、図３に示される各シートが切り出される。
【００７３】
裁断は、裁断機によりなされてもよい。裁断は、手作業でなされてもよい。手作業の場合、例えば、カッターナイフが用いられる。
【００７４】
（２）貼り合わせ工程
貼り合わせ工程では、前述した合体シートが作製される。
【００７５】
貼り合わせ工程では、加熱又はプレスが用いられてもよい。より好ましくは、加熱とプレスとが併用される。後述する巻回工程において、合体シートの巻き付け作業中に、シート間のズレが生じうる。このズレは、巻き付け精度を低下させる。加熱及びプレスは、シート間の接着力を向上させる。加熱及びプレスは、巻回工程におけるシート間のズレを抑制する。
【００７６】
（３）巻回工程
巻回工程では、マンドレルが用意される。典型的なマンドレルは、金属製である。このマンドレルに、離型剤が塗布される。更に、このマンドレルに、粘着性を有する樹脂が塗布される。この樹脂は、タッキングレジンとも称される。このマンドレルに、裁断されたシートが巻回される。このタッキングレジンにより、シート端部をマンドレルに貼り付けることが容易とされている。
【００７７】
シートは、展開図に記載されている順番で、巻回される。展開図で上側にあるシートほど、先に巻回される。上記貼り合わせに係るシートは、合体シートの状態で、巻回される。
【００７８】
この巻回工程により、巻回体が得られる。この巻回体は、マンドレルの外側にプリプレグシートが巻き付けられてなる。巻回は、例えば、平面上で巻回対象物を転がすことにより、達成される。この巻回は、手作業によりなされてもよいし、機械によりなされてもよい。この機械は、ローリングマシンと称される。
【００７９】
（４）テープラッピング工程
テープラッピング工程では、上記巻回体の外周面にテープが巻き付けられる。このテープは、ラッピングテープとも称される。このテープは、張力を付与されつつ巻き付けられる。このテープにより、巻回体に圧力が加えられる。この圧力はボイドを低減させる。
【００８０】
（５）硬化工程
硬化工程では、テープラッピングがなされた後の巻回体が加熱される。この加熱により、マトリクス樹脂が硬化する。この硬化の過程で、マトリクス樹脂が一時的に流動化する。このマトリクス樹脂の流動化により、シート間又はシート内の空気が排出されうる。ラッピングテープの圧力（締め付け力）により、この空気の排出が促進されている。この硬化により、硬化積層体が得られる。
【００８１】
（６）マンドレルの引き抜き工程及びラッピングテープの除去工程
硬化工程の後、マンドレルの引き抜き工程とラッピングテープの除去工程とがなされる。ラッピングテープの除去工程の能率を向上させる観点から、マンドレルの引き抜き工程の後にラッピングテープの除去工程がなされるのが好ましい。
【００８２】
（７）両端カット工程
この工程では、硬化積層体の両端部がカットされる。このカットにより、チップ端Ｔｐの端面及びバット端Ｂｔの端面が、平坦とされる。
【００８３】
なお、理解を容易とするため、本願の展開図では、両端カット後の寸法のシートが示されている。実際には、裁断時の寸法において、両端カットが考慮される。すなわち、実際には、両端カットがなされる部分の寸法が付加されて、裁断がなされる。
【００８４】
（８）研磨工程
この工程では、硬化積層体の表面が研磨される。硬化積層体の表面には、螺旋状の凹凸が存在する。この凹凸は、ラッピングテープの跡である。研磨により、この凹凸が消滅し、表面が滑らかとされる。好ましくは、研磨工程では、全体研磨と先端部分研磨とが実施される。
【００８５】
（９）塗装工程
研磨工程後の硬化積層体が、塗装される。
【００８６】
以上のような工程により、シャフトｓｆが得られる。
【００８７】
［３．シャフトセットの積層構成］
図４及び図５のぞれぞれは、図３とは異なる積層構成を示す。図３、図４及び図５のぞれぞれは、シャフトセット２Ｓを構成する３つのシャフトＳＦ１、ＳＦ２、ＳＦ３の積層構成を示している。
【００８８】
[３−１．第１のシャフトＳＦ１（図３）]
図３は、第１のシャフトＳＦ１の構成の一例である。図３のシャフトＳＦ１の構成は、上述の通りである。
【００８９】
[３−２．第２のシャフトＳＦ２（図４）]
図４は、第２のシャフトＳＦ２の構成の一例である。
【００９０】
図４のシャフトＳＦ２の構成は、以下の点を除き、図３のシャフトＳＦ１と同じである。
（ａ）シャフト長さＬｓ
（ｂ）バット部分バイアス層ｓ３，ｓ４の重量Ｗａ
（ｃ）バット部分ストレート層ｓ５の重量Ｗｂ
（ｄ）チップ部分バイアス層ｓ１０，ｓ１１の重量Ｗｃ
（ｅ）全長バイアス層ｓ１，ｓ２の形状
【００９１】
なお、重量Ｗａは、層ｓ３の重量と層ｓ４の重量との合計である。重量Ｗｃは、層ｓ１０の重量と層ｓ１１の重量との合計である。
【００９２】
上記（ａ）に関して、第２のシャフトＳＦ２のシャフト長さＬｓ２は、第１のシャフトＳＦ１のシャフト長さＬｓ１よりも短い。すなわち、Ｌｓ２＜Ｌｓ１である。
【００９３】
上記（ｂ）に関して、第２のシャフトＳＦ２の重量Ｗａ２は、第１のシャフトＳＦ１の重量Ｗａ１よりも大きい。すなわち、Ｗａ２＞Ｗａ１である。
【００９４】
上記（ｃ）に関して、第２のシャフトＳＦ２の重量Ｗｂ２は、第１のシャフトＳＦ１の重量Ｗｂ１よりも大きい。すなわち、Ｗｂ２＞Ｗｂ１である。
【００９５】
上記（ｄ）に関して、第２のシャフトＳＦ２の重量Ｗｃ２は、第１のシャフトＳＦ１の重量Ｗｃ１よりも小さい。すなわち、Ｗｃ２＜Ｗｃ１である。
【００９６】
[３−３．第３のシャフトＳＦ３（図５）]
図５は、第３のシャフトＳＦ３の構成の一例である。
【００９７】
図５のシャフトＳＦ３の構成は、以下の点を除き、図４のシャフトＳＦ２と同じである。
（ａ）シャフト長さＬｓ
（ｂ）バット部分バイアス層ｓ３，ｓ４の重量Ｗａ
（ｃ）バット部分ストレート層ｓ５の重量Ｗｂ
（ｄ）チップ部分バイアス層の重量Ｗｃ
（ｅ）全長バイアス層ｓ１，ｓ２の形状
【００９８】
上記（ａ）に関して、第３のシャフトＳＦ３のシャフト長さＬｓ３は、第２のシャフトＳＦ２のシャフト長さＬｓ２よりも短い。すなわち、Ｌｓ３＜Ｌｓ２である。
【００９９】
上記（ｂ）に関して、第３のシャフトＳＦ３の重量Ｗａ３は、第２のシャフトＳＦ２の重量Ｗａ２よりも大きい。すなわち、Ｗａ３＞Ｗａ２である。
【０１００】
上記（ｃ）に関して、第３のシャフトＳＦ３の重量Ｗｂ３は、第２のシャフトＳＦ２の重量Ｗｂ２よりも大きい。すなわち、Ｗｂ３＞Ｗｂ２である。
【０１０１】
上記（ｄ）に関して、第３のシャフトＳＦ３の重量Ｗｃ３は、第２のシャフトＳＦ２の重量Ｗｃ２よりも小さい。すなわち、Ｗｃ３＜Ｗｃ２である。
【０１０２】
なお、第３のシャフトＳＦ３では、チップ部分バイアス層が設けられていない。すなわち、Ｗｃ３はゼロである。
【０１０３】
［４．シャフトセットの仕様］
第１のシャフトＳＦ１、第２のシャフトＳＦ２及び第３のシャフトＳＦ３を含むシャフトセット２Ｓの仕様は、以下の通りである。
【０１０４】
［４−１．シャフト長さＬｓの変化］
クラブの番手が大きくなるにつれて、シャフト長さＬｓが短い。クラブのロフト角が大きくなるにつれて、シャフト長さＬｓが短い。第２のシャフトＳＦ２の長さＬｓ２は、第１のシャフトＳＦ１の長さＬｓ１より短い。第３のシャフトＳＦ３の長さＬｓ３は、第２のシャフトＳＦ２の長さＬｓ２より短い。シャフト長さＬｓに関して、以下の関係が成立している。
・Ｌｓ１＞Ｌｓ２＞Ｌｓ３
【０１０５】
［４−２．バット部分バイアス層の重量Ｗａの変化］
クラブの番手が大きくなるにつれて、バット部分バイアス層の重量Ｗａは大きくなっている。シャフト長さＬｓが短くなるにつれて、バット部分バイアス層の重量Ｗａは大きくなっている。第２のシャフトＳＦ２の重量Ｗａ２は、第１のシャフトＳＦ１の重量Ｗａ１より大きい。第３のシャフトＳＦ３の重量Ｗａ３は、第２のシャフトＳＦ２の重量Ｗａ２より大きい。重量Ｗａに関して、以下の関係（変化Ａ）が成立している。なお、Ｗａ１はゼロであってもよい。
・［変化Ａ］：Ｗａ１＜Ｗａ２＜Ｗａ３
【０１０６】
好ましくは、この変化Ａは、繊維の重量に関しても成立している。シャフト長さＬｓが短くなるにつれて、バット部分バイアス層の繊維重量Ｗａｆは大きくなっている。第２のシャフトＳＦ２の繊維重量Ｗａｆ２は、第１のシャフトＳＦ１の繊維重量Ｗａｆ１より大きい。第３のシャフトＳＦ３の繊維重量Ｗａｆ３は、第２のシャフトＳＦ２の繊維重量Ｗａｆ２より大きい。なお、変化Ａに係るバット部分バイアス層の繊維種類は、第１、第２及び第３のシャフト間で同一であるのが好ましい。
【０１０７】
Ｗａ１はゼロであってもよい。すなわち、第１のシャフトＳＦ１はバット部分バイアス層を有さなくてもよい。Ｗａ１がゼロであっても、前記変化Ａは達成されうる。
【０１０８】
バット部分バイアス層の重量Ｗａを変更する方法は、限定されない。この方法として、バット部分バイアス層の面積を変更する方法、及び、バット部分バイアス層のプリプレグ目付を変更する方法が例示される。前者として、バット部分バイアス層の巻回数を変更する方法、及び、バット部分バイアス層の軸方向長さＬａ（図３−５を参照）を変更する方法が例示される。
【０１０９】
本実施形態において、第１のシャフトＳＦ１と第２のシャフトＳＦ２との間では、バット部分バイアス層ｓ３，ｓ４のプリプレグ目付が変更されている。第２のシャフトＳＦ２と第３のシャフトＳＦ３との間では、前記長さＬａが変更されている（図４及び図５参照）。
【０１１０】
［４−３．重量Ｗｂの変化］
前述の通り、バット部分ストレート層は、無くてもよい。本実施形態では、第１のシャフトＳＦ１、第２のシャフトＳＦ２及び第３のシャフトＳＦ３は、バット部分ストレート層を有している。更に、クラブの番手が大きくなるにつれて、バット部分ストレート層の重量Ｗｂは大きくなっている。シャフト長さＬｓが短くなるにつれて、バット部分ストレート層の重量Ｗｂは大きくなっている。第２のシャフトＳＦ２の重量Ｗｂ２は、第１のシャフトＳＦ１の重量Ｗｂ１より大きい。第３のシャフトＳＦ３の重量Ｗｂ３は、第２のシャフトＳＦ２の重量Ｗｂ２より大きい。重量Ｗｂに関して、以下の関係（変化Ｂ）が成立している。なお、Ｗｂ１はゼロであってもよい。
・［変化Ｂ］：Ｗｂ１＜Ｗｂ２＜Ｗｂ３
【０１１１】
好ましくは、この変化Ｂは、繊維の重量に関しても成立している。シャフト長さＬｓが短くなるにつれて、バット部分ストレート層の繊維重量Ｗｂｆは大きくなっている。第２のシャフトＳＦ２の繊維重量Ｗｂｆ２は、第１のシャフトＳＦ１の繊維重量Ｗｂｆ１より大きい。第３のシャフトＳＦ３の繊維重量Ｗｂｆ３は、第２のシャフトＳＦ２の繊維重量Ｗｂｆ２より大きい。なお、変化Ｂに係るバット部分ストレート層の繊維種類は、第１、第２及び第３のシャフト間で同一であるのが好ましい。
【０１１２】
Ｗｂ１はゼロであってもよい。すなわち、第１のシャフトＳＦ１はバット部分ストレート層を有さなくてもよい。Ｗｂ１がゼロであっても、前記変化Ｂは達成されうる。
【０１１３】
バット部分ストレート層の重量Ｗｂを変更する方法は、限定されない。この方法として、バット部分ストレート層の面積を変更する方法、及び、バット部分ストレート層のプリプレグ目付を変更する方法が例示される。前者として、バット部分ストレート層の巻回数を変更する方法、及び、バット部分ストレート層の軸方向長さＬｂ（図３−５を参照）を変更する方法が例示される。
【０１１４】
本実施形態において、第１のシャフトＳＦ１と第２のシャフトＳＦ２との間では、前記長さＬｂが変更されており、第２のシャフトＳＦ２と第３のシャフトＳＦ３との間でも、前記長さＬｂが変更されている（図３−５を参照）。シャフト長さＬｓが短くなるにつれて、前記長さＬｂが大きくなっている。
【０１１５】
［４−４．重量Ｗｃの変化］
クラブの番手が大きくなるにつれて、チップ部分バイアス層の重量Ｗｃは小さくなっている。シャフト長さＬｓが短くなるにつれて、チップ部分バイアス層の重量Ｗｃは小さくなっている。第２のシャフトＳＦ２の重量Ｗｃ２は、第１のシャフトＳＦ１の重量Ｗｃ１より小さい。第３のシャフトＳＦ３の重量Ｗｃ３は、第２のシャフトＳＦ２の重量Ｗｃ２より大きい。重量Ｗｃに関して、以下の関係（変化Ｃ）が成立している。なお、Ｗｃ３はゼロであってもよい。本実施形態では、第３のシャフトＳＦ３のＷｃ３はゼロである。
・［変化Ｃ］：Ｗｃ１＞Ｗｃ２＞Ｗｃ３
【０１１６】
好ましくは、この変化Ｃは、繊維の重量に関しても成立している。シャフト長さＬｓが短くなるにつれて、チップ部分バイアス層の繊維重量Ｗｃｆは小さくなっている。第２のシャフトＳＦ２の繊維重量Ｗｃｆ２は、第１のシャフトＳＦ１の繊維重量Ｗｃｆ１より小さい。第３のシャフトＳＦ３の繊維重量Ｗｃｆ３は、第２のシャフトＳＦ２の繊維重量Ｗｃｆ２より小さい。なお、変化Ｃに係るチップ部分バイアス層の繊維種類は、第１、第２及び第３のシャフト間で同一であるのが好ましい。
【０１１７】
Ｗｃ３はゼロであってもよい。すなわち、第３のシャフトＳＦ３はチップ部分バイアス層を有さなくてもよい。Ｗｃ３がゼロであっても、前記変化Ｃは達成されうる。
【０１１８】
チップ部分バイアス層の重量Ｗｃを変更する方法は、限定されない。この方法として、チップ部分バイアス層の面積を変更する方法、及び、チップ部分バイアス層のプリプレグ目付を変更する方法が例示される。前者として、チップ部分バイアス層の巻回数を変更する方法、及び、チップ部分バイアス層の軸方向長さＬｃ（図３，４を参照）を変更する方法が例示される。
【０１１９】
本実施形態において、第１のシャフトＳＦ１と第２のシャフトＳＦ２との間では、前記長さＬｃが変更されている。第３のシャフトＳＦ３では、チップ部分バイアス層が設けられておらず、Ｗｃ３はゼロである。
【０１２０】
［４−５．全長バイアス層の重量Ｗｄ］
クラブの番手に関わらず、全長バイアス層の重量Ｗｄは略一定である。シャフト長さＬｓに関わらず、全長バイアス層の重量Ｗｄは略一定である。なお、略一定とは、Ｗｄの最大値が、Ｗｄの最小値の１．１０倍以下であることを意味し、Ｗｄの最小値の１．０５倍以下であるのが好ましい。
【０１２１】
従来のシャフトセットでは、全長バイアス層の形状は一定であり、チップ幅Ｈｔも一定である。この場合、シャフト長さＬｓが短くなるにつれて、全長バイアス層ｓ１，ｓ２の重量Ｗｄが小さくなる。
【０１２２】
本実施形態においては、チップ幅Ｈｔは一定ではない。第１のシャフトＳＦ１と第２のシャフトＳＦ２との間では、前記チップ幅Ｈｔが変更されており、第２のシャフトＳＦ２と第３のシャフトＳＦ３との間でも、前記チップ幅Ｈｔが変更されている（図３−５を参照）。シャフト長さＬｓが短くなるにつれて、前記チップ幅Ｈｔが大きくなっている。この結果、シャフト長さＬｓが変化しても、重量Ｗｄが略一定の範囲に調整されている。
【０１２３】
なお、第１のシャフトＳＦ１、第２のシャフトＳＦ２及び第３のシャフトＳＦ３の間で、バット幅Ｈｂは一定である。比（Ｈｔ／Ｈｂ）は、シャフト長さＬｓが短くなるにつれて大きくなっている。
【０１２４】
［４−６．シャフト重量］
シャフトセット２Ｓにおいて、シャフト重量は、略一定である。シャフト重量が略一定とされることで、クラブセット２内での均一性が高まり、番手間におけるシャフトフィーリングの差異が減少する。よって、クラブセット２の全体として、振りやすさが向上する。なお、略一定とは、シャフト重量の最大値が、シャフト重量の最小値の１．１０倍以下であることを意味し、当該最小値の１．０５倍以下であるのが好ましい。
【０１２５】
［５．効果］
上述したシャフトセット２Ｓの仕様は、以下の効果を奏する。
【０１２６】
［５−１．チップ部分バイアス層とバット部分バイアス層］
バイアス層をチップ部分及びバット部分に偏在させることで、バイアス層全体の重量を抑制しつつ、シャフトトルクを効果的に小さくすることができる。この結果、軽量で振りやすく、かつ打球の方向安定性に優れたシャフトが得られる。
【０１２７】
シャフトトルクを小さくする観点からは、バイアス層をチップ部に配置するのが好ましい。打感については、グリップ（ゴルファーの手）に近いバット部分バイアス層が影響しやすい。コントロール性については、ヘッドに近いチップ部分バイアス層と、グリップに近いバット部分バイアス層とが影響しやすい。バイアス層をチップ部分及びバット部分に偏在させ、それぞれの重量を適切に調整することで、バイアス層の重量を抑制しながら、シャフトトルク、シャフト重心、コントロール性、打感等を適切に調整することが容易となる。チップ部とバット部との間の配分割合を変えることで、シャフトトルク、シャフト重心、コントロール性、打感等の微調整が可能となる。よって、番手間におけるシャフトフィーリングの均一性が高まり、番手間におけるショットの相違が抑制される。
【０１２８】
［５−２．変化Ａ及び変化Ｃ］
前記変化Ａ（Ｗａ１＜Ｗａ２＜Ｗａ３）と前記変化Ｃ（Ｗｃ１＞Ｗｃ２＞Ｗｃ３）との組み合わせにより、シャフトトルクを略一定としつつ、シャフト重量及びシャフトトルクが効果的に抑制されうる。また、重量Ｗａと重量Ｗｃとの間の相殺により、部分バイアス層の総重量の変化が抑制されるので、番手間におけるシャフトフィーリングの差異が抑制される。部分バイアス層の総重量の変化が抑制されることは、シャフト重量を略一定とするのにも寄与する。
【０１２９】
［５−３．変化Ｂ］
前記変化Ｂ（Ｗｂ１＜Ｗｂ２＜Ｗｂ３）は、前記変化Ａ及び変化Ｂとの相乗により、上述したシャフト特性の調整を一層容易とする。特に、バット部分ストレート層は、グリップに近いため、打感の調整に役立つ。前記変化Ｂは、番手間における打感の差異を抑制しうる。また、変化Ｂは、シャフト重量を略一定とするのにも寄与する。
【０１３０】
［５−４．全長バイアス層の重量Ｗｄの一定性］
通常のシャフトセットでは、シャフト長さＬｓが短いほど重量Ｗｄが小さくなる。重量Ｗｄを略一定とすることで、シャフトフィーリングの均一性が高まる。
【０１３１】
［５−５．チップ部分ガラス繊維強化層ｓ９の重量Ｗｅの変化］
図３−５の実施形態では、チップ部分ストレート層ｓ９が設けられている。この層ｓ９は、ガラス繊維強化層である。シャフトが短くなるにつれて、このチップ部分ガラス繊維強化層ｓ９の重量Ｗｅは減少している。この変化は、シャフトフィーリングの均一性に寄与する。
【０１３２】
［６．好ましい仕様］
シャフトセット２Ｓでは、以下の仕様が好ましい。
【０１３３】
［６−１．シャフト重量］
振りやすさの観点から、シャフトセット２Ｓを構成するシャフトの重量は、６０ｇ未満が好ましく、５８ｇ以下がより好ましく、５６ｇ以下がより好ましく、５４ｇ以下がより好ましい。設計自由度の観点から、シャフト重量は、４０ｇ以上が好ましく、４２ｇ以上がより好ましく、４４ｇ以上がより好ましい。シャフトフィーリングの均一性の観点から、シャフトセット２Ｓにおいて、シャフト重量は、略一定であるのが好ましい。
【０１３４】
［６−２．シャフト長さＬｓ］
上述の通り、シャフトセット２Ｓは、アイアンゴルフクラブセットに用いられるのが好ましい。換言すれば、シャフトセット２Ｓは、アイアンシャフトセットであるのが好ましい。この観点から、シャフト長さＬｓは、９９１ｍｍ以下が好ましく、８６０ｍｍ以上が好ましい。
【０１３５】
アイアンセットのクラブ長さを考慮すると、第３のシャフトＳＦ３のシャフト長さＬｓ３は、８６０ｍｍ以上８８５ｍｍ未満が好ましい。第２のシャフトＳＦ２のシャフト長さＬｓ２は、８８５ｍｍ以上９２８ｍｍ未満が好ましい。第１のシャフトＳＦ１のシャフト長さＬｓ１は、９２８ｍｍ以上９９１ｍｍ以下が好ましい。
【０１３６】
［６−３．シャフトトルク］
打球の方向安定性の観点から、シャフトｓｆのシャフトトルクは、４°未満が好ましく、３．９°以下がより好ましく、３．８°以下がより好ましい。上述した構造により、軽量であってもシャフトトルクを効果的に小さくすることができる。現在市販されている材料の特性を考慮すると、このシャフトトルクは、２．０°以上が好ましく、２．５°以上がより好ましい。
【０１３７】
［６−４．バット部分ストレート層の繊維］
バット部分ストレート層の繊維として、炭素繊維及びガラス繊維が例示される。前記変化Ｂに起因する打感の均一性を高める観点から、バット部分ストレート層は、ガラス繊維強化層であるのが好ましい。ガラス繊維の比重は炭素繊維よりも大きいので、このバット部のガラス繊維強化層は、シャフト重心の調整にも寄与する。
【０１３８】
［６−５．チップ部分ストレート層の繊維］
図３−５の実施形態のそれぞれは、チップ部分ストレート層ｓ９を含む。この層ｓ９は、最外層ではないチップ部分ストレート層である。このチップ部分ストレート層ｓ９は、ガラス繊維強化層であるのが好ましい。チップ部とバット部とに比重の大きなガラス繊維強化層を配置することで、スイング中のシャフトの挙動が安定化しうる。シャフト長さＬｓが短くなるにつれて、チップ部分ストレート層の重量は小さくなっている。
【０１３９】
［７．シャフトトルクの測定方法］
図６は、シャフトトルクの測定方法を示す。チップ端Ｔｐから４０ｍｍの地点からチップ端Ｔｐまでの部分が、治具Ｍ１で固定される。この固定はエアチャックにより達成されており、このエアチャックの空気圧は２．０ｋｇｆ／ｃｍ２である。この治具Ｍ１から７５０ｍｍ隔てた位置から幅５０ｍｍの部分に、治具Ｍ２が固定される。この固定はエアチャックにより達成されており、このエアチャックの空気圧は１．５ｋｇｆ／ｃｍ２である。治具Ｍ１を固定したまま治具Ｍ２を回転させて、シャフトｓｆに１３．９ｋｇ・ｃｍのトルクＴｒを付与した。このトルクＴｒによる捻れ角度が、シャフトトルクである。
【０１４０】
［８．使用可能なプリプレグの例］
本開示のシャフトに用いられうるプリプレグの例が、下記の表１及び表２に示される。
【０１４１】
【表１】
2019017405.tif 000003
【０１４２】
【表２】
2019017405.tif 000004
【実施例】
【０１４３】
以下、実施例によって本開示の効果が明らかにされるが、この実施例の記載に基づいて本開示が限定的に解釈されるべきではない。
【０１４４】
［実施例１］
前述した工程により、第１のシャフト（４番アイアン用）、第２のシャフト（７番アイアン用）及び第３のシャフト（ピッチングウエッジ用）を作成した。図３の構成で、第１のシャフトを作成した。図４の構成で、第２のシャフトを作成した。図５の構成で、第３のシャフトを作成した。前述の変化Ａ（Ｗａ１＜Ｗａ２＜Ｗａ３）、変化Ｂ（Ｗｂ１＜Ｗｂ２＜Ｗｂ３）及び変化Ｃ（Ｗｃ１＞Ｗｃ２＞Ｗｃ３）が採用された。バット部分ストレート層ｓ５及びチップ部分ストレート層ｓ９は、ガラス繊維強化層とされた。
【０１４５】
前記変化Ａに関して、第２のシャフトのバット部分バイアス層ｓ３，ｓ４のプリプレグ目付が、第１のシャフトのバット部分バイアス層ｓ３，ｓ４のプリプレグ目付よりも大きくされた。また、第３のシャフトの長さＬａが、第２のシャフトの長さＬａよりも大きくされた（図４−５を参照）。なお、第１、第２及び第３のシャフトの間で、バット部分バイアス層の繊維種類及び繊維含有率は同一とされた。
【０１４６】
前記変化Ｂに関して、第２のシャフトの長さＬｂが第１のシャフトの長さＬｂよりも大きくされ、第３のシャフトの長さＬｂが第２のシャフトの長さＬｂよりも大きくされた。（図３−５を参照）。なお、第１、第２及び第３のシャフトの間で、バット部分ストレート層の繊維種類及び繊維含有率は同一とされた。
【０１４７】
前記変化Ｃに関して、第２のシャフトの長さＬｃが第１のシャフトの長さＬｃよりも小さくされた。また、第３のシャフトではチップ部分バイアス層が設けられなかった（図３−５を参照）。なお、第１及び第２のシャフトの間で、チップ部分バイアス層の繊維種類及び繊維含有率は同一とされた。
【０１４８】
全長バイアス層の重量Ｗｄは、一定とされた。そのために、全長バイアス層のチップ幅Ｈｔが変更された。第２のシャフトのチップ幅Ｈｔが第１のシャフトのチップ幅Ｈｔよりも大きくされた。また、第３のシャフトのチップ幅Ｈｔが第２のシャフトのチップ幅Ｈｔよりも大きくされた（図３−５を参照）。
【０１４９】
得られた第１のシャフトに、グリップ及び４番アイアンのヘッドを装着した。得られた第２のシャフトに、グリップ及び７番アイアンのヘッドを装着した。得られた第３のシャフトに、グリップ及びピッチングウエッジのヘッドを装着した。このようにして、実施例１のクラブセットを得た。実施例１の仕様と評価結果が、下記の表３に示される。
【０１５０】
[実施例２]
前記変化Ｂを採用しなかった。すなわち、バット部分ストレートｓ５の長さＬｂを一定とし、重量Ｗｂを一定（Ｗｂ１＝Ｗｂ２＝Ｗｂ３）とした。この他は実施例１と同様にして、実施例２のクラブセットを得た。実施例２の仕様と評価結果が、下記の表４に示される。
【０１５１】
[比較例]
前記変化Ａ及び変化Ｃを採用しなかった。すなわち、バット部分バイアス層ｓ３，ｓ４の寸法及びプリプレグ種類を一定とし、重量Ｗａを一定（Ｗａ１＝Ｗａ２＝Ｗａ３）とした。また、第３のシャフトの積層構成を第１及び第２のシャフトと同一とし、チップ部分バイアス層ｓ１０，ｓ１１の寸法及びプリプレグ種類を一定として、重量Ｗｃを一定（Ｗｃ１＝Ｗｃ２＝Ｗｃ３）とした。この他は実施例１と同様にして、比較例のクラブセットを得た。比較例の仕様と評価結果が、下記の表５に示される。
【０１５２】
【表３】
2019017405.tif 000005
【０１５３】
【表４】
2019017405.tif 000006
【０１５４】
【表５】
2019017405.tif 000007
【０１５５】
評価方法は、以下の通りである。
【０１５６】
［シャフトフィーリングの均一性］
１０名のテスターが、実打テストを行った。シャフトフィーリングについて、官能評価がなされた。セットにおけるシャフトフィーリングの均一性が評価された。１点から５点までの５段階で、評価がなされた。点数が高いほど、シャフトフィーリングの均一性が高い。点数が低いほど、セット内でシャフトフィーリングの差異が大きい。１０名のテスターの評価点の平均が、上記の表３から５に示されている。
【０１５７】
表３から表５に示されるように、実施例は、比較例に比べて評価が高い。この評価結果から、本開示の優位性は明らかである。
【産業上の利用可能性】
【０１５８】
本開示は、ウッド型、ハイブリッド型、アイアン型など、あらゆるゴルフクラブセットに適用されうる。
【符号の説明】
【０１５９】
２・・・ゴルフクラブセット
２Ｓ・・・シャフトセット
４・・・ゴルフクラブ
ｓｆ・・・シャフト
ＳＦ１・・・第１のシャフト
ＳＦ２・・・第２のシャフト
ＳＦ３・・・第３のシャフト
ｇｐ・・・グリップ
ｈｄ・・・ヘッド
ｓ１〜ｓ１２・・・プリプレグシート（層）
【図１】
2019017405.tif 000008
【図２】
2019017405.tif 000009
【図３】
2019017405.tif 000010
【図４】
2019017405.tif 000011
【図５】
2019017405.tif 000012
【図６】
2019017405.tif 000013